(57)【要約】【課題】簡便かつ確実に食物の食べこぼしを集積できると共に、安価に製造可能な食事用エプロンを得る。【解決手段】  この食事用エプロンの製造には、上端２ａが開放され、下端２ｂが封止され、左側辺２ｃ、右側辺２ｄがそれぞれつながった合成樹脂シートから成る矩形状の袋部材２を使用する。点線部２ｅに示すように、左側辺２ｃの下部から中間部２ｆにかけてのつながりを切り離し、更に中間部２ｆから上端２ａにかけて、点線部２ｇに沿って斜めに裁断して左上部の不要部分を除去する。また、右側辺２ｄの上方には切込み２ｈを設け、その上部に首掛部１ａ、１ｂを形成することにより食事用エプロンが得られる。【選択図】図３
2011140728.tif 000002
【特許請求の範囲】
【請求項１】
着用者の胸前に装着することにより、食物の食べこぼしを集積する食事用エプロンにおいて、上端を開放し下端を封止し両側の第１、第２の側辺をつなげた矩形状の袋部材から、該袋部材の前記第１の側辺の一部から前記上端にかけて斜めの部分を除去して、前記下端と前記第２の側辺の間において袋状のポケット部を形成し、前記第２の側辺の上部を切り込んで首掛部を形成したことを特徴とする食事用エプロン。
【請求項２】
前記第２の側辺の上端は切り離して、前記首掛部を２片に分離したことを特徴とする請求項１に記載の食事用エプロン。
【請求項３】
前記第２の側辺の上端は切り離すことなく、前記第２の側辺の上部を丸く切り込んで首掛け孔を形成したことを特徴とする請求項１に記載の食事用エプロン。
【請求項４】
着用者の胸前に装着することにより、食物の食べこぼしを集積する食事用エプロンにおいて、２枚の重ね合わせた矩形状シートの下端同士を接着し、第１の側辺の一部から上端にかけて斜めの部分を除去すると共に、第２の側辺の下部から上部までの間同士を接着して袋状のポケット部を形成し、前記第２の側辺の上部を切り込んで首掛部を形成したことを特徴とする食事用エプロン。
【請求項５】
前記袋部材又はシートは紙、布、合成樹脂から成ることを特徴とする請求項１〜４の何れか１つの請求項に記載の食事用エプロン。
【発明の詳細な説明】
【技術分野】
【０００１】
本発明は、喫食時に食べこぼし等による衣服の汚れを防止するための食事用エプロンに関するものである。
【背景技術】
【０００２】
従来から、幼児や病院・介護施設等の患者が喫食する際には、衣服の汚れを防止するために、布製、紙製、合成樹脂製等の様々な素材のシートから成る種々の食事用エプロンが用いられている。
【０００３】
例えば、特許文献１には食べこぼしを集積するポケット部を有するエプロンが開示されている。
【０００４】
また、特許文献２にはテーブル等に平面状のシートを伸ばすことにより使用するランチマット付き食事用エプロンが開示されている。
【０００５】
更には、特許文献３には、エプロンの両側に弾性部材を設けたり、タック部を形成することにより、エプロンにポケット部を形成する食事用エプロンが開示されている。
【先行技術文献】
【特許文献】
【０００６】
【特許文献１】特開２００９−７４２２３号公報
【特許文献２】特開２００６−１３８０５７号公報
【特許文献３】特開２００１−３１６９１８号公報
【発明の概要】
【発明が解決しようとする課題】
【０００７】
しかし、特許文献１における食事用エプロンは、食べこぼしを集積するポケット部が十分に拡がらなかったり、使用中にポケット部が閉じてしまい、食べこぼしを確実に拾い集めることができない。また、ポケット部が小さく、必ずしも食べこぼしがポケット部内に落下するとは限らない。
【０００８】
また、特許文献２のランチマット付き食事用エプロンにおいては、エプロン本体で効率的に食べこぼしを集積することができる。しかし、エプロン自体が平面状であるため、着用者が体を動かした際などにエプロンがずれ、エプロンの側部を介して折角拾い集めた食べこぼしが床等に落下してしまう問題を有している。
【０００９】
特許文献３の食事用エプロンは、上述の特許文献２の欠点を解決できるが、凹状のポケット部を形成するために、エプロンの両側に弾性部材を設けたり、タック部を形成する必要があり、安価に製造することが困難である。
【００１０】
本発明の目的は、上述の問題点を解消し、簡便な構造で確実に、飲みこぼしを含む食べこぼしを集積すると共に、安価に製造できる食事用エプロンを提供することにある。
【課題を解決するための手段】
【００１１】
上記目的を達成するための本発明に係る食事用エプロンは、着用者の胸前に装着することにより、食物の食べこぼしを集積する食事用エプロンにおいて、上端を開放し下端を封止し両側の第１、第２の側辺をつなげた矩形状の袋部材から、該袋部材の前記第１の側辺の一部から前記上端にかけて斜めの部分を除去して、前記下端と前記第２の側辺の間において袋状のポケット部を形成し、前記第２の側辺の上部を切り込んで首掛部を形成したことを特徴とする。
【００１２】
また、本発明に係る食事用エプロンは、着用者の胸前に装着することにより、食物の食べこぼしを集積する食事用エプロンにおいて、２枚の重ね合わせた矩形状シートの下端同士を接着し、第１の側辺の一部から上端にかけて斜めの部分を除去すると共に、第２の側辺の下部から上部までの間同士を接着して袋状のポケット部を形成し、前記第２の側辺の上部を切り込んで首掛部を形成したことを特徴とする。
【発明の効果】
【００１３】
本発明に係る食事用エプロンによれば、簡単な構造で安価に、かつ確実に食べこぼしを収容できる食事用エプロンを製造することができる。
【図面の簡単な説明】
【００１４】
【図１】実施例１の食事用エプロンの使用状態の斜視図である。
【図２】実施例１の食事用エプロンの製造工程の説明図である。
【図３】実施例１の食事用エプロンの製造工程の説明図である。
【図４】実施例１の食事用エプロンの製造工程の説明図である。
【図５】実施例２の食事用エプロンの製造工程の説明図である。
【図６】実施例３の食事用エプロンの製造工程の説明図である。
【図７】実施例４の食事用エプロンの製造工程の説明図である。
【図８】実施例５の食事用エプロンの製造工程の説明図である。
【発明を実施するための形態】
【００１５】
本発明を図示の実施例に基づいて詳細に説明する。
【実施例１】
【００１６】
図１は本実施例１の食事用エプロンの使用状態の斜視図を示している。この食事用エプロン１においては、着用者Ｓは首に２本の首掛部１ａ、１ｂを周回し、両面テープ材等により首掛部１ａ、１ｂを互いに連結することにより、首に取り付けて胸前に凹状のポケット部１ｃを拡げて装着することができる。そして、好ましくはポケット部１ｃの前縁１ｄをテーブルＴ上に載せて固定する。前縁１ｄをテーブルＴ上に固定するには、前縁１ｄを両面テープによりテーブルＴに接着したり、前縁１ｄ上にお盆等の重しを載置することにより固定することができる。
【００１７】
このような食事用エプロン１を用いることにより、凹状のポケット部１ｃ内に、食物の食べこぼしを容易に落下させて集積することができると共に、着用者Ｓが体を動かしても食べこぼしがポケット部１ｃからこぼれ落ちることはない。
【００１８】
図２〜図４は本実施例１の食事用エプロン１の製造工程を示している。この食事用エプロン１の製造には、図２に示すように上端２ａが開放され、下端２ｂが封止され、両側の左側辺２ｃ、右側辺２ｄがそれぞれつながったポリエチレンやポリプロピン等の合成樹脂シートから成る矩形状の袋部材２を使用する。また、袋部材２には、合成樹脂以外の紙、布等を用いてもよい。
【００１９】
図３に示す点線部２ｅに示すように、左側辺２ｃの下部から中間部２ｆにかけてのつながりを切り離し、更に中間部２ｆから上端２ａにかけて、点線部２ｇに沿って斜めに裁断して左上部の不要部分を除去する。これにより、下端２ｂと右側辺２ｄの間に袋状のポケット部１ｃが形成される。なお、この点線部２ｇによる裁断は直線状でも曲線状でもよい。
【００２０】
なお、中間部２ｆの位置は、必ずしも図示のように左側辺２ｃの中間位置ではなく、左側辺２ｃの下部であってもよい。
【００２１】
また、右側辺２ｄの上方には切込み２ｈを設け、その上部に首掛部１ａ、１ｂを形成する。実施例１においては、切込み２ｈにより円形状に切り込み、不要部分を除去すると同時に、右側辺２ｄの上端を点線部２ｉのように切り離すことにより、首掛部１ａ、１ｂは表側と裏側の２片に分離し、図４に示すような食事用エプロン１が得られる。なお、切込み２ｈは図示のように円形にすることなく、単に直線状の切込みとしても首掛部１ａ、１ｂは形成できる。
【００２２】
この食事用エプロン１を図１に示すように用いることにより、図３の点線部２ｅは図１のポケット部１ｃの前縁１ｄとなる。
【００２３】
この食事用エプロン１においては、着用者Ｓの首に固定するための首掛部１ａ、１ｂを設けたが、首掛部１ａ、１ｂ同士は前述のように両面テープにより使用時に接着してもよいし、首掛部１ａ、１ｂの端部同士を結ぶことにより、首に固定することもできる。
【実施例２】
【００２４】
図５は実施例２を示している。右側辺２ｄの切込み２ｈを丸く形成し、右側辺２ｄの上部を分離しなければ、円形の首掛け孔２ｉが形成されるので、着用者Ｓはこの首掛け孔２ｉ内に首を挿し込むことにより食事用エプロンを着用できる。
【実施例３】
【００２５】
図６は実施例３を示し、袋部材２を図２に示すように裁断する際に、更に下端２ｂ及び右側辺２ｄ間の一部分を斜線部２ｊに示すように斜めに裁断し、不要部分を除去すると共に、この斜線部２ｊを溶着により接着している。
【００２６】
このようにして製造した食事用エプロン１は、実施例１、２と比較して、ポケット部１ｃの形状が角張らず使い勝手がよい。
【実施例４】
【００２７】
図７は実施例４を示し、袋部材２の下端２ｂから右側辺２ｄの一部分を連続的に曲線部２ｋのように裁断し、不要部分を除去し、裁断した曲線部２ｋを接着している。
【００２８】
このように製造した食事用エプロン１のポケット部１ｃの形状は、滑らかな曲線となり使い勝手がよい。
【００２９】
なお、これらの実施例１〜４は互いに組み合わせることもできる。
【実施例５】
【００３０】
実施例１〜４においては、袋部材２を裁断することにより食事用エプロン１を製造したが、本実施例５においては図８に示すように、予め図３に示す点線部２ｅ、切込み２ｈを裁断した２枚の矩形状のシート３、４を用いている。シート３、４の下端３ａ、４ａ同士、側辺３ｂ、４ｂ同士を接着することにより、ポケット部１ｃ、首掛部１ａ、１ｂを有する食事用エプロン１’を製造する。
【００３１】
図８においては説明の便宜のために、シート３、４を左右に展開して説明しているが、実際には複数枚のシートを重ねて同時に裁断し、２枚ずつ加熱溶着により接着を行うことが好ましい。しかし、裁断後のシート３、４を接着剤を用い接着したり、両面テープ材等を用いて要所のみを接着することもできる。
【００３２】
更に、本実施例５においては、２枚のシート３、４を接着することにより食事用エプロン１’を製造したが、３枚以上のシートを組み合わせて製造することもできる。
【符号の説明】
【００３３】
１  食事用エプロン
１ａ、１ｂ  首掛部
１ｃ  ポケット部
１ｄ  前縁
２  袋部材
２ａ  上端
２ｂ  下端
２ｃ、２ｄ  側辺
３、４  シート
【図１】
2011140728.tif 000003
【図２】
2011140728.tif 000004
【図３】
2011140728.tif 000005
【図４】
2011140728.tif 000006
【図５】
2011140728.tif 000007
【図６】
2011140728.tif 000008
【図７】
2011140728.tif 000009
【図８】
2011140728.tif 000010